(57)【要約】【課題】ハードハンドオーバ動作など従来ＭＢＭＳサービスの飛び現象を生じていたものに対し、ＭＢＭＳサービスによる画像データや音声データの停止や飛び現象を防ぐことができる移動体通信システムを提供することである。【解決手段】ＬＴＥ移動通信システムにおけるＭＢＭＳサービスを用いた通信において、基地局が、移動局のＭＢＭＳの受信品質状況を監視するＭＢＭＳ受信品質状況監視手段と、前記ＭＢＭＳ受信品質状況監視手段による監視の結果、該受信品質状況が良好な場合は、他の状況によらず該移動局とのＭＢＭＳの通信を継続するＭＢＭＳ制御手段と、を備えたことを特徴とする。【選択図】図２
2011003967.tif 000002
【特許請求の範囲】
【請求項１】
ＬＴＥ移動通信システムにおけるＭＢＭＳサービスを用いた通信において、基地局が、移動局のＭＢＭＳの受信品質状況を監視するＭＢＭＳ受信品質状況監視手段と、前記ＭＢＭＳ受信品質状況監視手段による監視の結果、該受信品質状況が良好な場合は、他の状況によらず該移動局とのＭＢＭＳの通信を継続するＭＢＭＳ制御手段と、
を備えたことを特徴とする移動通信システム。
【請求項２】
前記ＭＢＭＳ制御手段が、該移動局がハンドオーバ動作または再同期を実施中であっても、前記ＭＢＭＳ受信品質状況監視手段による監視の結果、該受信品質状況が良好な場合は、該移動局とのＭＢＭＳの通信を継続する、
ことを特徴とする請求項１に記載の移動通信システム。
【請求項３】
前記ＭＢＭＳ制御手段が、該移動局の受信品質が低下した場合であっても、前記ＭＢＭＳ受信品質状況監視手段による監視の結果、該受信品質状況が良好な場合は、該移動局とのＭＢＭＳの通信を継続する、
ことを特徴とする請求項１に記載の移動通信システム。
【請求項４】
前記ＭＢＭＳ受信品質状況監視手段が、下りＭＢＭＳのＣＱＩ情報値を検出するものであり、
前記ＭＢＭＳ制御手段が、前記ＣＱＩ情報値が所定のしきい値以上であったときに、受信品質状況が良好であると判定する、
ことを特徴とする請求項１乃至３のうちのいずれか１項に記載の移動通信システム。
【請求項５】
移動局との間でＬＴＥ移動通信システムにおけるＭＢＭＳサービスを用いた通信を行う基地局において、前記移動局のＭＢＭＳの受信品質状況を監視するＭＢＭＳ受信品質状況監視手段と、前記ＭＢＭＳ受信品質状況監視手段による監視の結果、該受信品質状況が良好な場合は、他の状況によらず該移動局とのＭＢＭＳの通信を継続するＭＢＭＳ制御手段と、
を備えたことを特徴とする基地局。
【請求項６】
前記ＭＢＭＳ制御手段が、該移動局がハンドオーバ動作または再同期を実施中であっても、前記ＭＢＭＳ受信品質状況監視手段による監視の結果、該受信品質状況が良好な場合は、該移動局とのＭＢＭＳの通信を継続する、
ことを特徴とする請求項５に記載の基地局。
【請求項７】
前記ＭＢＭＳ制御手段が、該移動局の受信品質が低下した場合であっても、前記ＭＢＭＳ受信品質状況監視手段による監視の結果、該受信品質状況が良好な場合は、該移動局とのＭＢＭＳの通信を継続する、
ことを特徴とする請求項５に記載の移動通信システム。
【請求項８】
前記ＭＢＭＳ受信品質状況監視手段が、下りＭＢＭＳのＣＱＩ情報値を検出するものであり、
前記ＭＢＭＳ制御手段が、前記ＣＱＩ情報値が所定のしきい値以上であったときに、受信品質状況が良好であると判定する、
ことを特徴とする請求項５乃至７のうちのいずれか１項に記載の移動通信システム。
【発明の詳細な説明】
【技術分野】
【０００１】
本発明は基地局と移動局とが通信する移動通信システムに関する。
【背景技術】
【０００２】
最近では、移動通信システムにおいてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）と呼ばれるサービスが知られている。このＭＢＭＳは、Ｐｏｉｎｔ−ｔｏ−Ｍｕｌｔｉｐｏｉｎｔとして、映像等のデータを多数の移動局が同時に受信することのできるサービス形態である。
【０００３】
また、ＬＴＥ（Ｌｏｎｇ  Ｔｅｒｍ  Ｅｖｏｌｕｔｉｏｎ）移動通信システムは、現行のＷ−ＣＤＭＡで採用されている方式よりも高速・大容量のデータ通信が可能な方式である。
【０００４】
ここで、図１のように移動局１０１が基地局１１の通信セル境界内に位置する場合を考えると、移動局１０１は移動により基地局１１との通信状況が悪くなることにより、他セルである基地局１２へのハードハンドオーバや同期はずれの場合の再同期の動作が行なわれる可能性がある。この場合、ハンドオーバ動作中や再同期動作中の際にはＭＢＭＳの通信サービスも停止動作となるため、移動局１０１は基地局１２へのハンドオーバ動作や再同期動作が完了するまでの間ＭＢＭＳサービスを利用できないことになる。しかしながら、このときの移動局１０１への電波伝搬状況において、基地局１２から送信されるＭＢＭＳの受信波を良好に受けることで、マルチセル送信のＭＢＭＳにおける複数セルでのｓｏｆｔ−ｃｏｍｂｉｎｉｎｇ効果により、ＭＢＭＳのマルチセル通信状態は良好である可能性がある。したがってこの場合、移動局１０１はマルチセルＭＢＭＳの通信状態が良好であるにもかかわらず通信を受けられないという状態が発生してしまうことになる。
【０００５】
ＭＢＭＳサービスは主に映像や音声等のデータに関する複数局への同報配信であるため、基本的に移動局への再送は行なわれない。このため、ハンドオーバ中や再同期動作中の時間帯におけるマルチセル送信のＭＢＭＳを利用する移動局は、画像データや音声データの停止や飛び現象が発生してしまうことになる。
【０００６】
これに対して特許文献１に記載の発明では、ＣＤＭＡシステムの移動端末装置において、ソフトハンドオーバによるソフトコンバイニング装置を提供し、これによりＭＢＭＳデータのソフトコンバイニングを遂行し、安定したＭＢＭＳサービスを提供しようとしている。
【先行技術文献】
【特許文献】
【０００７】
【特許文献１】特表２００６−５２８４５５号公報
【発明の概要】
【発明が解決しようとする課題】
【０００８】
ところが、特許文献１に記載の発明では、ＣＤＭＡシステムに特化したものであり、また移動端末側にＭＢＭＳサービス継続のための制御回路を設けているため、移動端末が複雑化するという問題があった。また、特許文献１に記載の発明では、ソフトハンドオーバを前提にしておりソフトハンドオーバの際にＭＢＭＳデータのソフトコンバイニングを行って安定したＭＢＭＳサービスを提供しようとしているが、最近では、上述のＬＴＥの移動通信システムが知られており、このＬＴＥの移動通信システムではソフトハンドオーバは行わず、ハードハンドオーバを行うものであるため、このようなＬＴＥ移動通信システムには適用不可能なものであった。
【０００９】
本発明は上記の点にかんがみてなされたもので、ハードハンドオーバ動作など従来ＭＢＭＳサービスの飛び現象を生じていたものに対し、ＭＢＭＳサービスによる画像データや音声データの停止や飛び現象を防ぐことができる移動体通信システムを提供することを目的とする。
【課題を解決するための手段】
【００１０】
上記課題を解決するにあたり、本発明は、ＬＴＥ移動通信システムにおけるＭＢＭＳサービスを用いた通信において、基地局が、移動局のＭＢＭＳの受信品質状況を監視するＭＢＭＳ受信品質状況監視手段と、前記ＭＢＭＳ受信品質状況監視手段による監視の結果、該受信品質状況が良好な場合は、他の状況によらず該移動局とのＭＢＭＳの通信を継続するＭＢＭＳ制御手段と、を備えたことを特徴とする。
【発明の効果】
【００１１】
本発明によれば、ハードハンドオーバ動作など従来ＭＢＭＳサービスの飛び現象を生じていたものに対し、ＭＢＭＳサービスによる画像データや音声データの停止や飛び現象を防ぐことができる移動体通信システムを提供することができる。
【図面の簡単な説明】
【００１２】
【図１】移動通信システムにおける移動局と基地局の関係を説明するブロック図である。
【図２】本発明の一実施形態による移動通信システムにおける基地局の要部の構成を示すブロック図である。
【図３】図２に示した実施形態の移動通信システムの動作を示すフローチャートであり、図２の判定回路２５１３の動作を示すものである。
【図４】本発明のさらに別の実施形態による移動通信システムにおける基地局の要部の構成を示すブロック図である。
【図５】図４に示した実施形態の移動通信システムの動作を示すフローチャートであり、図４の判定回路２５１３の動作を示すものである。
【発明を実施するための形態】
【００１３】
以下、本発明の実施の形態について図面を参照して詳細に説明する。
【００１４】
ＬＴＥ（Ｌｏｎｇ  Ｔｅｒｍ  Ｅｖｏｌｕｔｉｏｎ）移動通信システムが知られている。このＬＴＥ移動通信システムにおいて採用されるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式は、移動通信において現行のＷ−ＣＤＭＡで採用されている方式よりも高速・大容量のデータ通信が可能な方式である。
【００１５】
ＬＴＥの下り送信において、ＭＢＭＳは、シングルセル送信とマルチセル送信の２つの送信方法がある。シングルセル送信では、単一のセル内での送信サービスであり、単一の基地局からセル内にいる複数の移動局に対して同一のデータを送信することができる。一方マルチセル送信では、複数のセルにまたがった送信サービスであり、複数の基地局にて同一のデータをエリア内にいる複数の移動局に送信することができる。
【００１６】
ここで、シングルセル送信とマルチセル送信の違いとしては、ＯＦＤＭ方式におけるＣＰ（Ｃｙｃｌｉｃ  Ｐｒｅｆｉｘ）の長さがある。シングルセル送信におけるＣＰ長は、音声やデータを通信する通常の個別チャネルと同様であるのに対して、マルチセル送信においては、ＣＰ長がシングルセル送信の場合よりも長いことが一般的であり、これにより、移動局は、複数の基地局からのＭＢＭＳ信号を受信する際、遅延時間がＣＰ長の範囲内であればこれらを合成（ｓｏｆｔ−ｃｏｍｂｉｎｉｎｇ）して受信することが可能となる。
【００１７】
本発明は、ＬＴＥの移動通信システムハンドオーバ境界にマルチセル送信のＭＢＭＳサービスを利用する移動局が位置する場合に、ｓｏｆｔ−ｃｏｍｂｉｎｉｎｇ効果によりセル境界でもマルチセル送信ＭＢＭＳの受信状態が良好であれば、移動局が他セルへのハードハンドオーバ動作また再同期動作を行なう際でも、マルチセル送信のＭＢＭＳサービスを継続させることにより、ハンドオーバ動作中や再同期動作中のサービス断を改善することが可能なことを特徴としている。
【００１８】
また、本発明は、マルチセルＭＢＭＳの通信を利用している移動局に対して、基地局が、移動局からハンドオーバ動作または再同期動作を行なう情報信号を取得し且つ移動局の上り送信にて取得した下りＭＢＭＳのＣＱＩ情報値がしきい値以上であった場合は、マルチセルＭＢＭＳが安定して受信できるものと判定し、ある一定期間のＭＢＭＳの継続通信を許可する制御信号を移動局へ送信するマルチセルＭＢＭＳ送信制御回路を設けた。
【００１９】
図２は、本発明の一実施形態による移動通信システムにおける基地局の要部の構成を示すブロック図である。
【００２０】
図２に示すように、本実施形態の基地局は、移動局に対してＭＢＭＳサービスを提供するマルチセルＭＢＭＳ送信制御回路２５１、２５２〜２５Ｎを有する、
また、基地局は、移動局からの無線データを受信する受信回路２１と、受信回路２１で受信した無線データを復調するデータ復調回路２２と、移動局に対して送信するデータを変調するデータ変調回路２３と、データ変調回路２３で偏重したデータを無線送信する送信回路２４とを有する。
【００２１】
マルチセルＭＢＭＳ送信制御回路２５１、２５２〜２５Ｎのそれぞれは、データ復調回路２２で復調したデータを用いて移動局制御情報を検出する移動局制御情報検出回路２５１１と、データ復調回路２２で復調したデータを用いてマルチセルＭＢＭＳの受信品質を検出するマルチセルＭＢＭＳ受信品質検出回路２５１２と、移動局制御情報検出回路２５１１およびマルチセルＭＢＭＳ受信品質検出回路２５１２による検出結果に基づいて判定を行いその判定結果に従って制御を行う判定回路２５１３とを有する、図２では、マルチセルＭＢＭＳ送信制御回路２５１が有する移動局制御情報検出回路２５１１、マルチセルＭＢＭＳ受信品質検出回路２５１２および判定回路２５１３を図示しているが、マルチセルＭＢＭＳ送信制御回路２５２〜２５Ｎについても同様の構成である。
【００２２】
マルチセルＭＢＭＳ送信制御回路２５１、２５２〜２５Ｎのそれぞれでは、判定回路２５１３において、基地局が移動局からハンドオーバ動作または再同期動作を行なう情報信号を取得し、移動局がマルチセルＭＢＭＳの通信を行なっており且つ移動局の上り送信にて取得した下りＭＢＭＳのＣＱＩ値がしきい値以上であった場合は、マルチセルＭＢＭＳが安定して受信できるものと判定し、ある一定期間のＭＢＭＳの継続通信を許可する制御信号を移動局へ送信する。このようにして、本実施形態では、移動局におけるマルチセル送信のＭＢＭＳの受信品質を監視し、受信状態が良好な場合は、ＭＢＭＳサービスを一定期間継続することのできるシステムとしているので、移動局がハンドオーバ動作中または再同期動作中でもＭＢＭＳのサービスを受信することが可能となる。
【００２３】
図２を参照して本実施形態の構成についてさらに詳しく説明する。図２には、本実施形態のＬＴＥ移動通信システムによる基地局のマルチセルＭＢＭＳの送信制御回路を含んだ構成図が示されている。
【００２４】
図２において、移動局からの上り無線信号は、受信回路２１において受信され、ベースバンド帯域に周波数変換、Ａ／Ｄ変換され、データ復調回路２２へ出力する。
【００２５】
データ復調回路２２では、ベースバンド信号をデータ内容に応じて指定された復調方式で復調処理を行なう。復調処理されたデータは、ユーザ単位に存在するマルチセルＭＢＭＳ送信制御回路２５１、２５２〜２５Ｎ内にある移動局制御情報検出回路２５１１とマルチセルＭＢＭＳ受信品質検出回路２５１２に入力される。
【００２６】
移動局制御情報検出回路２５１１では、移動局のハードハンドオーバ動作または再同期動作の実施情報が検出され、またマルチセルＭＢＭＳ受信品質検出回路２５１２では、下りについての移動局のマルチセル送信ＭＢＭＳの受信品質情報であるＣＱＩ情報を検出する。これらの信号は、判定回路２５１３に入力されることでマルチセルＭＢＭＳ通信を継続するかどうかを判定し、判定結果及び移動局への制御情報をデータ変調回路２３へ送信する。
【００２７】
データ変調回路２３では、データ内容に応じて指定された変調方式で変調処理を行ない、送信回路２４へ出力し、Ｄ／Ａ変換、無線周波数帯域に変換して下り無線信号として送信される。
【００２８】
次に、図３のフローチャートを参照しながら、本実施形態の動作についてさらに詳しく説明する。
【００２９】
図３は、図２に示した実施形態の移動通信システムの動作を示すフローチャートであり、図２の判定回路２５１３の動作を示すものである。
【００３０】
判定回路２５１３では、移動局制御情報検出回路２５１１による検出結果に基づき、移動局からハンドオーバ動作または再同期動作を行なう情報信号を取得した場合は（Ｓ−３１：Ｙｅｓ）、ステップ（Ｓ−３２）へ進む。
【００３１】
一方、移動局からハンドオーバ動作または再同期動作を行なう情報信号を取得していない場合は（Ｓ−３１：Ｎｏ）、特に制御は行なわず、移動局は通常の通信動作を行なう（Ｓ−３３）。
【００３２】
また、マルチセルＭＢＭＳ受信品質検出回路２５１２による検出結果に基づき、移動局がマルチセルＭＢＭＳの通信を行なっており且つ移動局から受信した下りマルチセルＭＢＭＳのＣＱＩ値がしきい値以上であった場合は（Ｓ−３２：Ｙｅｓ）、マルチセルＭＢＭＳが安定して受信できていると判定し、ある一定期間のＭＢＭＳの継続通信を許可する制御信号をデータ変調回路２３へ出力する（Ｓ−３５）。
【００３３】
一方、下りマルチセルＭＢＭＳのＣＱＩ値がしきい値未満であった場合は（Ｓ−３２：Ｎｏ）、マルチセルＭＢＭＳが受信できていないと判定し、特に制御は行なわず、移動局は通常のハンドオーバ動作または再同期動作を行なう（Ｓ−３４）。
【００３４】
なお、ＭＢＭＳの継続通信を許可する前記一定時間の長さについては、ハードハンドオーバの動作時間及び移動局の再同期時間よりも長いことが望ましい。
【００３５】
以上説明したように、本発明においては、以下に記載するような効果を奏する。
【００３６】
第１の効果は、マルチセルＭＢＭＳの通信を利用している移動局がハンドオーバ動作または再同期動作を行なっている間でもマルチセルＭＢＭＳの通信状態が良好であれば、利用を継続することができることである。
【００３７】
第２の効果は、本発明のシステムで、実際にハンドオーバや再同期によりマルチセルＭＢＭＳの継続利用動作を行なった移動局の位置情報を累積してゆくことにより、いわゆる不感地領域を検出することが可能となるため、基地局装置の増設のための情報として有効となることである。
【００３８】
次に、本発明の別の実施形態について説明する。
【００３９】
本発明の別の実施形態として、その基本的構成は図２、図３とほぼ同様であるが、マルチセルＭＢＭＳ受信品質検出回路２５１２を基地局装置ではなく、その上位装置で実施しても本発明の実現が可能である。
【００４０】
次に、本発明のさらに別の実施形態について図４および図５を参照しながら説明する。
【００４１】
図４は、本発明のさらに別の実施形態による移動通信システムにおける基地局の要部の構成を示すブロック図である。
【００４２】
図５は、図４に示した実施形態の移動通信システムの動作を示すフローチャートであり、図４の判定回路２５１３の動作を示すものである。
【００４３】
本実施形態では、図２のマルチセルＭＢＭＳ送信制御回路２５１、２５２〜２５Ｎ内の移動局制御情報検出回路２５１１の代わりに移動局受信品質検出回路２５１４を設けている。図４において、図２と同様の構成については同じ参照番号を付している。
【００４４】
判定回路２５１３では、移動局受信品質検出回路２５１４による検出結果に基づき、移動局からの下り受信品質がしきい値以下であれば（Ｓ−５１：Ｙｅｓ）、ステップ（Ｓ−５２）へ進む。
【００４５】
一方、移動局からの下り受信品質がしきい値を超えていれば（Ｓ−５１：Ｎｏ）、特に制御は行なわず、移動局は通常の通信動作を行なう（Ｓ−５３）。
【００４６】
また、マルチセルＭＢＭＳ受信品質検出回路２５１２による検出結果に基づき、移動局がマルチセルＭＢＭＳの通信を行なっており且つ移動局から受信した下りマルチセルＭＢＭＳのＣＱＩ値がしきい値以上であった場合は（Ｓ−５２：Ｙｅｓ）、マルチセルＭＢＭＳが安定して受信できていると判定し、ある一定期間のＭＢＭＳの継続通信を許可する制御信号をデータ変調回路２３へ出力する（Ｓ−５５）。
【００４７】
一方、下りマルチセルＭＢＭＳのＣＱＩ値がしきい値未満であった場合は（Ｓ−５２：Ｎｏ）、マルチセルＭＢＭＳが受信できていないと判定し、特に制御は行なわず、移動局は通常の通信動作を行なう（Ｓ−５４）。
【００４８】
なお、ＭＢＭＳの継続通信を許可する前記一定時間の長さについては、ハードハンドオーバの動作時間及び移動局の再同期時間よりも長いことが望ましい。
【００４９】
図４および図５の実施形態の場合は、移動局の下り受信品質が劣化した際に、マルチセルＭＢＭＳの継続通信を判定するようにしているので、通信劣化によるハンドオーバや再同期の制御信号を移動局から受信する前からマルチセルＭＢＭＳ送信の継続動作を行なうことが可能である。
【符号の説明】
【００５０】
２１  受信回路
２２  データ復調回路
２３  データ変調回路
２４  送信回路
２５１、２５２、・・・２５Ｎ  マルチセルＭＢＭＳ送信制御回路
２５１１  移動局制御情報検出回路
２５１２  マルチセルＭＢＭＳ受信品質検出回路
２５１３  判定回路
２５１４  移動局受信品質検出回路
【図１】
2011003967.tif 000003
【図２】
2011003967.tif 000004
【図３】
2011003967.tif 000005
【図４】
2011003967.tif 000006
【図５】
2011003967.tif 000007